(57)【要約】【課題】エネルギー利用率を大幅に向上させる発光部品を提供する。【解決手段】透明封鎖ケース、電子発光(electroluminescent、EL)気体、第一電子発光層及び第一誘電質光学多層薄膜を含み、透明封鎖ケースは相対する第一内側壁と第一外側壁及び相対する第二内側壁と第二外側壁を備え、該電子発光気体は該透明封鎖ケース内に配置し、紫外光線を提供することができ、また、該電子発光層は該第一内側壁或いは第一外側壁上に配置し、該第一誘電質光学多層薄膜は該第二内側壁或いは該第二外側壁上に配置し、該第一電子発光層は紫外光線を吸収し可視光線を提供することができ、該第一誘電質光学多層薄膜は紫外光線を反射し、可視光線を通過させることができる。【選択図】  図５
2008226842.tif 000002
【特許請求の範囲】
【請求項１】
発光部品は透明封鎖ケース、電子発光(electroluminescent、EL)気体、第一電子発光層、第一誘電質光学多層薄膜を含み、
該透明封鎖ケースは第一内側壁、第二内側壁、第一外側壁、第二外側壁を備え、該第一内側壁と該第一外側壁は相対し、しかも該第二内側壁と該第二外側壁は相対し、
該電子発光(electroluminescent、EL)気体は該透明封鎖ケース内に配置し、該電子発光(electroluminescent、EL)気体は紫外光線を提供することができ、
該第一電子発光層は該第一内側壁或いは該第一外側壁上に配置し、該第一電子発光層は該紫外光線を吸収し可視光線を吸収することができ、
該第一誘電質光学多層薄膜は該第二内側壁或いは該第二外側壁上に配置し、該第一誘電質光学多層薄膜は該紫外光線を反射することができ、並びに該可視光線を通過させることができることを特徴とする発光部品。
【請求項２】
前記発光部品はさらに第二電子発光層を含み、該第一誘電質光学多層薄膜或いは該第二内側壁上に配置し、しかも該第二電子発光層は該第一誘電質光学多層薄膜に比べ該電子発光(electroluminescent、EL)気体に近接することを特徴とする請求項１記載の発光部品。
【請求項３】
前記発光部品はさらに第二誘電質光学多層薄膜を含み、該第一電子発光層或いは該第一外側壁上に配置し、しかも該第一電子発光層は該第二誘電質光学多層薄膜に比べ該電子発光(electroluminescent、EL)気体に近接することを特徴とする請求項１記載の発光部品。
【請求項４】
前記電子発光(electroluminescent、EL)気体は水銀ガス(Hg)であり、しかも紫外光線の波長は253.7ｎｍとすることを特徴とする請求項１記載の発光部品。
【請求項５】
前記第一誘電質光学多層薄膜の材質に二酸化鉛を含むことを特徴とする請求項１記載の発光部品。
【請求項６】
前記第一誘電質光学多層薄膜が反射する紫外光線の角度は少なくとも0°から30°以上であることを特徴とする請求項１記載の発光部品。
【請求項７】
前記第一電子発光層は蛍光或いは燐光により形成され、しかも平均的な厚みは40μｍから２ｍｍの間であることを特徴とする請求項１記載の発光部品。
【請求項８】
前記発光部品はさらに第一反射層を含み、該第一電子発光層或いは該第一外側壁上に配置し、しかも該第一電子発光層は該第一反射層に比べ該電子発光(electroluminescent、EL)気体に近接することを特徴とする請求項１記載の発光部品。
【請求項９】
発光部品は透明封鎖ケース、透明分離区画板、電子発光(electroluminescent、EL)気体、第一電子発光層、第一誘電質光学多層薄膜を含み、
該透明封鎖ケースは第一内側壁、第二内側壁、第一外側壁、第二外側壁を備え、該第一内側壁と該第一外側壁は相対し、しかも該第二内側壁と該第二外側壁は相対し、
該透明分離区画板は該透明封鎖ケース内に配置し、該透明分離区画板は相対する第一側面と第二側面を備え、該第一内側壁と該第一側面は第一空間を取り囲み形成し、
該電子発光(electroluminescent、EL)気体は該第一空間内に配置し、該電子発光(electroluminescent、EL)気体は紫外光線を提供することができ、
該第一電子発光層は該第一内側壁或いは該第一外側壁上に配置し、該第一電子発光層は該紫外光線を吸収し可視光線を吸収することができ、
該第一誘電質光学多層薄膜は該第一側面或いは該第二側面上に配置し、該第一誘電質光学多層薄膜は該紫外光線を反射することができ、並びに  該可視光線を通過させることができることを特徴とする発光部品。
【請求項１０】
前記発光部品はさらに第二電子発光層を含み、該第一誘電質光学多層薄膜或いは該第一側面上に配置し、しかも該第二電子発光層は該第一誘電質光学多層薄膜に比べ該電子発光(electroluminescent、EL)気体に近接することを特徴とする請求項９記載の発光部品。
【請求項１１】
前記発光部品は該第一電子発光層或いは該第一外側壁上に配置し、しかも該第一電子発光層は該第二誘電質光学多層薄膜に比べ該電子発光(electroluminescent、EL)気体に近接することを特徴とする請求項９記載の発光部品。
【請求項１２】
前記電子発光(electroluminescent、EL)気体は水銀ガス(Hg)であり、しかも紫外光線の波長は253.7ｎｍとすることを特徴とする請求項９記載の発光部品。
【請求項１３】
前記第一誘電質光学多層薄膜の材質に二酸化鉛を含むことを特徴とする請求項９記載の発光部品。
【請求項１４】
前記第一誘電質光学多層薄膜が反射する紫外光線の角度は少なくとも0°から30°以上であることを特徴とする請求項９記載の発光部品。
【請求項１５】
前記第一電子発光層は蛍光或いは燐光により形成され、しかも平均的な厚みは40μｍから２ｍｍの間であることを特徴とする請求項９記載の発光部品。
【請求項１６】
前記発光部品はさらに第一反射層を含み、該第一電子発光層或いは該第一外側壁上に配置し、しかも該第一電子発光層は該第一反射層に比べ該電子発光(electroluminescent、EL)気体に近接することを特徴とする請求項９記載の発光部品。
【請求項１７】
発光部品は透明封鎖ケース、透明封鎖外カバー、電子発光気体、第一電子発光層、第一誘電質光学多層薄膜を含み、
該透明封鎖ケースは該透明封鎖外カバー内に配置し、該透明封鎖外カバーは第三内側壁と第四内側壁を含み、
該電子発光気体は該透明封鎖ケース内に配置し、該電子発光気体は紫外光線を提供することができ、
該第一電子発光層は該第三内側壁上に配置し、しかも該透明封鎖ケースの設置位置に対応し不均等な分布を呈し、該第一電子発光層は該紫外光線を吸収し可視光線を提供することができ、しかも該透明封鎖外カバーを通過した該可視光線は均等な強度を達成し、
該第一誘電質光学多層薄膜は該第四内側壁上に配置し、該第一誘電質光学多層薄膜は該紫外光線を反射し、該可視光線を通過させることができることを特徴とする発光部品。
【請求項１８】
前記第一電子発光層は点状分布、ブロック状分布及びひも状分布の内の少なくとも一種の分布を呈することを特徴とする請求項１７記載の発光部品。
【請求項１９】
前記発光部品はさらに第二誘電質光学膜層を含み、該第一電子発光層上に配置し、しかも該第一電子発光層は該第二誘電質光学多層薄膜に比べ該透明封鎖ケースに近接することを特徴とする請求項１７記載の発光部品。
【請求項２０】
前記発光部品はさらに第一反射層を含み、該第二誘電質光学多層薄膜上に配置し、しかも該第二誘電質光学多層薄膜は該第一反射層に比べ該透明封鎖ケースに近接することを特徴とする請求項１９記載の発光部品。
【請求項２１】
前記電子発光(electroluminescent、EL)気体は水銀ガス(Hg)であり、しかも紫外光線の波長は253.7ｎｍとすることを特徴とする請求項１７記載の発光部品。
【請求項２２】
前記第一誘電質光学多層薄膜の材質に二酸化鉛を含むことを特徴とする請求項１７記載の発光部品。
【請求項２３】
前記第一誘電質光学多層薄膜が反射する紫外光線の角度は少なくとも0°から30°以上であることを特徴とする請求項１７記載の発光部品。
【請求項２４】
前記第一電子発光層は蛍光或いは燐光により形成され、しかも平均的な厚みは40μｍから２ｍｍの間であることを特徴とする請求項１７記載の発光部品。
【発明の詳細な説明】
【技術分野】
【０００１】
本発明は発光部品に関する。特に、誘電質光学多層薄膜、特に広反射角度を備える長波通過フィルター(Wide AOI(Angle of Incidence) Reflectance Longwave Pass Filter)の発光部品で、以下に広反射角長波通過フィルター(Wide AOI Reflectance LPF)と略称する発光部品に係る。
【背景技術】
【０００２】
科学技術の進歩に従い、白熱灯、蛍光灯等の発光部品は日常生活に大量に使用されている。よって発光部品の発光効率と光学均等度を高め使用者のニーズに応えることは研究発展の重要な方向である。
図１は公知の発光部品の断面図で、図２は図１の発光部品の局部拡大指示図である。図１、図２に示すように、公知の発光部品100は透明封鎖管体110、水銀ガス(Hg)120及び蛍光層130を含む。
該水銀ガス120は該透明封鎖管体110中に配置し、該蛍光層130は該透明封鎖管体110の内側壁112上に塗布する。この他、該蛍光層130は多くの顆粒状の蛍光顆粒130aが積み重なり組成され、該蛍光層130はさらに表層蛍光層132と底層蛍光層134に区分される。
該水銀ガス120は高電圧により刺激されると紫外光線122を放出し、該蛍光層130上に照射する。該蛍光層130の蛍光顆粒130aは該紫外光線122により刺激されると、可視光線124を放出する。しかも該可視光線124は該透明封鎖管体110を貫通し外界へと照射される。
【０００３】
しかし、該紫外光線122が該蛍光層130を通過する時、エネルギーは衰減するため、該表層蛍光層132に位置する蛍光顆粒130a’と該底層蛍光層134に位置する蛍光顆粒130a’’が受ける刺激の程度には差異が生まれる。これでは該蛍光顆粒130a’、130a’’が発する可視光線124’、124’’の強度は異なり、可視光線124’’全体の輝度は可視光線124’の輝度より劣ってしまう。
しかも、該蛍光層130は結晶の細微蛍光顆粒130aが積み重なり構成されるため、該紫外光線122が該蛍光顆粒130aの間の微小隙間から漏出することは避けられない。これによりエネルギー利用率の浪費と低下を招く。
この他、該蛍光層130は良好な透明体ではないにもかかわらず、さらに蛍光顆粒130a’が放出する可視光線124’は再度該層蛍光層134を通過しなければ、外界へと照射されない。これでは可視光線124’の輝度はさらに低下し、該発光部品200全体の発光効率は不良となる。よってもし該蛍光層130の厚みを薄くし、しかもまた該紫外光線122を十分に吸収可能とすれば、発光効率を改善することができる。
【０００４】
図３は公知の別種の発光部品の局部拡大指示図である。図３と図２に示すように、図３の発光部品100aと図２の発光部品100は相似している。その相違点は発光部品100aの蛍光層130’の厚みが該発光部品100の蛍光層130に比べ薄いことである。よって該蛍光層130’を塗布制作する時、該蛍光層130’全体の厚みは比較的薄いため、透明度は改善されるが、蛍光顆粒130aaの積み重なりが密でないため、ある区域は覆蓋されない状況が生じる。
これでは多くの紫外光線122’が直接該蛍光層130を貫通し無駄になってしまい、輝度の不良を招く。もしこの時、浪費された紫外光線122’を反射させ利用することができれば、光透過度(蛍光層130’全体の厚みが比較的薄い)が良く、しかも紫外光線122もまた十分に利用することができ、発光効率を大幅に改善することができる。
【０００５】
図４は公知のさらに別種の発光部品の断面図である。図４に示すように、公知の発光部品200は透明封鎖管体210、水銀ガス220、蛍光層230及び反射層240を含む。
該水銀ガス220は該透明封鎖管体210中に配置する。該透明封鎖管体210は下半内側壁212と上半内側壁214を備える。該反射層240は該下半内側壁212上に配置し、しかも該蛍光層230は該反射層240上に塗布する。
該水銀ガス220が紫外光線222(222’)を放出し該蛍光層230上に照射されると、該蛍光層230は刺激され可視光線224を放出する。可視光線224’の一部は直接該上半内側壁214を通過し、上方へと該透明封鎖管体210を通過し外界へと照射される。しかも可視光線224’’の一部は、該反射層240により反射後、さらに上方へと該透明封鎖管体210を通過する。
該発光部品200は該蛍光層230表層発光を主とし、しかも可視光線224’の一部は該蛍光層230を通過する必要なく直接外界へと照射され、これにより該発光部品200全体の輝度はいくらか増加する。しかし、該蛍光層230は半周円だけに塗布されているため、上向きの紫外光線222’’の一部は該蛍光層230に照射、発光しないため、エネルギーの損失を招き、該発光部品200のエネルギー有効利用を妨げている。
【特許文献１】特開平07-312205号公報
【特許文献２】特開平05-205702号公報
【発明の開示】
【発明が解決しようとする課題】
【０００６】
本発明が解決しようとする課題は、前記の不都合に鑑みてなされたもので、長波通過フィルターを有した発光部品において、最適な発光効率と最適な輝度均等性を備える発光部品を提供することである。
【課題を解決するための手段】
【０００７】
上記課題を解決するため、本発明は下記の発光部品を提供する。
それは、透明封鎖ケース、電子発光(electroluminescent、EL)気体、第一電子発光層及び第一誘電質光学多層薄膜を含み、
該透明封鎖ケースは相対する第一内側壁と第一外側壁及び相対する第二内側壁と第二外側壁を備え、
該電子発光(electroluminescent、EL)気体は該透明封鎖ケース内に配置し、紫外光線を提供することができ、
該電子発光層は該第一内側壁上に配置し、
該第一誘電質光学多層薄膜は該第二内側壁上に配置し、
該第一電子発光層は紫外光線を吸収し可視光線を提供することができ、該第一誘電質光学多層薄膜は紫外光線を反射し、可視光線を通過させることができ、
本発明のある実施例中において、上記の発光部品はさらに第二電子発光層を含み、該第二電子発光層は該第一誘電質光学多層薄膜或いは該第二内側壁上に配置し、しかも該第二電子発光層は該第一誘電質光学多層薄膜に比べ該電子発光(electroluminescent、EL)気体に近接し、
本発明のある実施例中においては、上記の発光部品はさらに第二誘電質光学膜層を含み、該第二誘電質光学膜層は該第一電子発光層或いは該第一外側壁上に配置し、しかも該第一電子発光層は該第二誘電質光学多層薄膜に比べ該電子発光(electroluminescent、EL)気体に近接し、
本発明のある実施例中において、上記の発光部品はさらに第一反射層を含み、該第一反射層は該第一電子発光層、該第一外側壁或いは該第二誘電質光学多層薄膜上に配置し、該第一電子発光層は該第一反射層に比べ該電子発光(electroluminescent、EL)気体に近接し、しかも該第二誘電質光学多層薄膜は該第一反射層に比べ該電子発光(electroluminescent、EL)気体に近接し、
本発明のある実施例中において、上記の発光部品はさらに透明封鎖外カバーを含み、該透明封鎖ケースは該透明封鎖外カバー内に配置し、しかも該透明封鎖外カバーは相対する第三内側壁と第三外側壁を備え、また該第三内側壁と該第一内側壁は同側に位置し、
本発明のある実施例中において、上記の発光部品はさらに第二反射層を含み、該第二反射層は該第三内側壁或いは該第三外側壁上に配置する。
【発明の効果】
【０００８】
上記のように、本発明の発光部品中では、誘電質光学多層薄膜は紫外光線を反射させ透明封鎖ケースに戻し電子発光層へと照射し、可視光線を放射することができるため、発光部品の発光効率とエネルギー利用率を大幅に向上させることができる。さらに、電子発光層は表層発光をであるため、発光部品は最適な輝度を備えることができる。
【発明を実施するための最良の形態】
【０００９】
本発明の上記及び他の目的、特徴及び長所について明確にするため、以下に最適実施例に図式を合わせ詳細な説明を行う。
＜第一実施例＞
図５〜図８は本発明第一実施例の四種の発光部品の断面図である。図５〜図８に示すように、本発明の発光部品300a、300b、300c、300dは相似している。以下に、先ず発光部品300aについて説明を行う。
該発光部品300aは透明封鎖ケース310、電子発光(electroluminescent、EL)気体320、第一電子発光層330及び第一誘電質光学多層薄膜340を含む。該透明封鎖ケース310は相対する第一内側壁312と第一外側壁314及び相対する第二内側壁316と第二外側壁318を備える。該電子発光(electroluminescent、EL)気体320は該透明封鎖ケース310内に配置し、紫外光線322を提供する。
さらに、該第一電子発光層330は該第一内側壁312上に配置し、該第一誘電質光学多層薄膜340は該第二内側壁316上に配置する。該第一電子発光層330は吸収紫外光線322を吸収し、可視光線324を提供し、該第一誘電質光学多層薄膜340は該紫外光線322を反射し、該可視光線324を通過させることができる。
【００１０】
具体的には、該電子発光(electroluminescent、EL)気体320が高電圧電子により刺激されると、周囲へと紫外光線322を放出し、紫外光線322’の一部は該第一電子発光層330上へと照射される。該第一電子発光層330が該紫外光線322’により刺激されると、可視光線324’を放射し、該可視光線324’は該第一誘電質光学多層薄膜340を通過し、外界へと照射される。
この他、該紫外光線322’の一部は’該第一誘電質光学多層薄膜340上へと照射され、該第一誘電質光学多層薄膜340は紫外光線322’’を反射し、紫外光線322’’はようやく該第一電子発光層330上へと照射される。こうして、該紫外光線322’’は該第一電子発光層330を刺激し可視光線324’’を放射し外界へと照射する。
本発明は紫外光線322を十分に利用し該第一電子発光層330へと照射し可視光線324を放射するため、該発光部品300aは最適な発光効率とエネルギー利用率を備える。また、該発光部品300aは該第一電子発光層330表層発光を主とするため、該発光部品300aの全体輝度を向上させることができる。
【００１１】
本実施例中において、該第一誘電質光学多層薄膜340は異なる屈折率の誘電質材料(図示なし)が積み重なり組成する。該各誘電質材料の厚み(例えば、λ/4、λは光線波長、或いは他の比率λ/aで、aは1から100、或いはそれ以上)を対応調整し、及び適した屈折率の誘電質材料を選択し、これにより該第一誘電質光学多層薄膜340は特定波長の光波を反射し、特定波長の光波を通過させる。
さらに、該第一誘電質光学多層薄膜340はカットオフフィルター(cut-off filter)中の長波通過フィルター(long-pass filter)を代表とし、紫外光線(380nm以下の特定紫外光波区域)を高反射させ、可視光線(380nm〜780nm或いは400nm〜800nm)を通過させる。当然、他の種類のフィルター、バンドストップフィルター(band-stop filter)、バンド通過フィルター(band-pass filter)、誘電質反射鏡(dielectric mirror)のコーティング或いは他の適したフィルターコーティングにより組成することもできる。該項技術の習熟者は前記説明に基づき、誘電質光学多層薄膜の種類にいささかの変更を加えることができるが、それらもやはり本発明の範囲に含む。
【００１２】
また、紫外光線が該第一誘電質光学多層薄膜340に入射する角度は0°から90°の高反射で、使用上は±0°から90°の高反射で、よって該第一誘電質光学多層薄膜340の紫外光線反射及び可視光線を通過させる作業角度もまた大きくなればなるほど良い。例えば、π-stackは高低屈折率の積み重ね中において、その高低の厚みが異なれば作業角度も増加する。
作業角度を大きくするために、積み重なる異なる角度の長波通過フィルター(long-pass filter)によりその偏光の作業角度に対する不一致を除去することができる。それが生じるブルーシフト(Blue Shift)もまた可視光の最下限(380m〜400nm)と特定紫外光(270nm、水銀の253.7nm)の間において処理すれば良い。
一般的には、干渉性フィルターの作業角度は非常に小さく、光源が0°角度の入射時には作業角度は最大で±0°から15°である。作業角度を大きくするため、異なるカットオフ波長の長波通過フィルターを積み重ね波長を延伸反射(カットオフ)し、角度を0°(垂直入射)から15°、45°、60°等の角度まで増加させることができる。しかし、ブルーシフト(Blue shift)を生じ、つまりカットオンポイント(cut-on point)は短波に向かい移動し、曲線も急にならないが、380nmから400nmの間をカットオンポイントとする。水銀主波長などの作業点は、253.7nmと380nm或いは400nmの間で（253.7nmの場合)0°〜90°入射角(Angle of Incidence, AOI)が可能な高反射カットオフ波長(stop band)の長波通過フィルターで、コーティングした高折射率材料は二酸化ハフニウム(HfO2, Hafnium dioxide)を主とし、低折射率材料は二酸化シリコン(SiO2, Silicon dioxide)を主とする。またフッ化マグネシウム(MgF2)或いは他の材料とすることもできる。
なお、この他にLaF2、MgF3を材料として184．9nmの広反射角度の長波通過フィルターをコーティングすることができる。すなわち、必要ならば副紫外線の波長についても広反射角度とすることもできる。
以上は該項技術の習熟者は当然理解可能であるため、詳述しない。
この他、円管の内周面の出光角度は90°より小さくするため、可視光線は透過率が高く（AR付加は反対面）、可視光線（波長は380nm〜780nm或いは400nm〜800nm）の透過角度もまた±0°から60°に達する。
さらに、該第一誘電質光学多層薄膜340は全角度のコーティング(Omni-directional Coating)とし、全角度のオムニディレクショナル長波通過フィルター(Omni-directional Longwave Pass Filter)を代表とすることができる。
本実施例中において、該第一電子発光層330は蛍光層等であるが、本発明は第一電子発光層330の種類を限定しない。例えば、該第一電子発光層330は燐光層或いは他の適した刺激光材質により組成することもできる。
【００１３】
この他、該第一電子発光層330は同時に赤色光、緑色光及び青色光蛍光の三波長(Tri-phosphors)蛍光層を含むことができる。該第一電子発光層330は紫外光線322により刺激され、対応する赤色光、緑色光及び青色光を放出し、混合により均一な白色光となる。しかし、該第一電子発光層330はまた単色光蛍光顆粒だけを備え、単色可視光線324を放出し、或いは異なる色の蛍光顆粒を組合せ混合し、各種色の可視光線324とすることができる。
注意を要する点は、本発明は第一電子発光層330の厚みを限定しないことである。例えば、第一電子発光層330は蛍光層130(図２参照)などの比較的厚みのあるものとし、或いは蛍光層130’(図３参照)などの比較的薄いものとすることができ、実際設計時の必要に応じて決定することができる。
異なる紫外光強度は最適な蛍光膜厚みに対応する。一般に伝統的な360°内周面のコーティング蛍光層の厚みは、低圧水銀灯を例とすると、その平均厚みは15μm〜30μmである。本発明がもし単一面のコーティング蛍光層平均厚みを40μmから2mmの厚みとすれば、紫外線を十分に吸収でき、浪費することはない。
すなわち、公知の低圧水銀灯メーカーは、灯管に最大の光出力量を達成させるため、これまで蛍光層塗布を非常に薄くし、紫外光を十分に吸収可能な最良の組合せにおいて調整して来た。現在に至るまで、最良の日光灯製品でも、電源を付けていない単管については天井で点灯している光源を見れば、どれだけ光を遮っているかが分かり、可視光線の遮蔽率はやはり非常に大きい。蛍光層の塗布は既に十分に薄く、一般的な平均は約15μm〜30μmの間である。この種の蛍光層の透明度を増大させるために、紫外光を完全に吸収することができないという折衷案は仕方がないと言える。
現在本発明が提供する光を遮らず十分に紫外光を吸収可能な発明、つまり蛍光表層発光の構造の、その蛍光層(第一電子発光層)は非常に厚くすることができ、紫外光を十分に吸収可能な設計である。その厚みは公知の15μm〜30μmから40μm〜2mmまでの異なる紫外線強度に適応することができる。
【００１４】
本実施例中において、該電子発光(electroluminescent、EL)気体320は水銀ガスなどで、水銀ガスが放出する紫外光線322の主波長は253.7nmで、副波長は主波長の約1/7強度の183.9nmに過ぎない。よってもし紫外光線の高反射波長が250nmから380nm或いは400nmの間をカバー可能なら、380nmから780nm或いは400nmから800nm波長の可視光線が通過する長波通過フィルターコーティングをここに応用することができる。
この他、二酸化ハフニウムHfO2の高折射率を使用し、二酸化シリコンSiO2、フッ化マグネシウム(MgF2)及びクリオライト(Na3AlF6)等の低折射率材料を組合せ、図９〜図１１に示す全角度長波通フィルターを完成する。
図９〜図１０は異なる波長の光源下における第一実施例の第一誘電質光学多層薄膜に対する反射率的実験模擬のグラフ図を示す。図１１は253.7nm波長光源の異なる入射角度における第一実施例の第一誘電質光学多層薄膜に対する反射率の実験模擬のグラフ図を示す。該第一誘電質光学多層薄膜は前記の二酸化ハフニウムHfO2と二酸化シリコンSiO2を交互に32層積み重ねた構造である。
図９、図１０に示すように、光源が第一誘電質光学多層薄膜340に垂直入射(0°)或いは斜向入射(30°、45°、60°)すると、可視光線324(波長は380nm異常)の反射率はすべて約5%以下である(すなわち、通過率は95%以上)。紫外光線322(波長は380nm以下)の反射率は急速に上昇し、特に253.7nmの波長(水銀の主波長)において、その反射率(入射0°〜90°)は95%以上に達する。
よって、該第一誘電質光学多層薄膜340は広反射角度を備え、また該第一誘電質光学多層薄膜340は紫外光線322を反射し、可視光線324を通過させる特性は、垂直入射にのみ限定されず、高角度入射時にも良好な性質を備える。こうして発光部品300aの性能を大幅に向上させることができる。
本実施例の電子発光気体320は水銀ガスで、水銀ガスが放出する紫外光線322の主波長は253.7nm(総エネルギーの約80%以上を占める)であるため、図１１では特に253.7nm波長の光源により解設を行う。図１１に示すように、253.7nm波長の紫外光線がどの種角度で第一誘電質光学多層薄膜340に入射しようとも、その反射率はすべて平均約97%以上に達する。よって、水銀ガス(電子発光気体)に二酸化ハフニウムと二酸化シリコンを交互に積み重ねた薄膜(第一誘電質光学多層薄膜)の組合せは、発光部品300aの性能を確実に向上させることができる。
本発明はコーティングの方式を、紫外光反射鏡或いはさらに可視光通過強化の抗反射コーティングを加える、或いは他の方式の干渉性誘電質コーティングなどに限定しない。紫外線を反射することができ、可視光線を通過させることができるなら、すべて本発明の範囲内に含むものとする。この他、いわゆる紫外光とは単一の波長を指すものではなく、異なる波長の反射区を重ね、或いは角度を拡大した反射膜層も含む。
しかし、本発明はまた電子発光(electroluminescent、EL)気体320の種類を限定しない。例えば、電子発光(electroluminescent、EL)気体320はヘリウムガス(He)、ネオンガス(Ne)、ゼノンガス(Xe)及び他の適した気体により組成することができる。電子発光(electroluminescent、EL)気体320がネオンとゼノンの混合気体である時、それが放出する紫外光線322の主波長は147nmで、副波長は173nmまで延伸する。こうして、紫外光線の反射波長は約140nmから200nmの間となり、380nmから780nmの波長の可視光線は通過することができる。
この他、透明封鎖ケース310はガラス、石英ガラスなどで、紫外光線を通過させることができる材質或いは他の透明材質により構成し、本発明はこれにより限定されるものではない。
【００１５】
さらに図５〜図８に示すように、発光部品300b、300c、300dと発光部品300aは相似している。その相違点は第一電子発光層330と第一誘電質光学多層薄膜340の配置位置が異なる点である。
図６中では、該第一電子発光層330は該第一内側壁312上に配置し、該第一誘電質光学多層薄膜340は該第二外側壁318上に配置する。
図７中では、該第一電子発光層330は該第一外側壁314上に配置し、該第一誘電質光学多層薄膜340は該第二内側壁316上に配置する。
図８中では、該第一電子発光層330は該第一外側壁314上に配置し、該第一誘電質光学多層薄膜340は該第二外側壁318上に配置する。
前記理由と類似し、該発光部品300b、300c、300dはまた最適な発光効率とエネルギー利用率を備える。該項技術の習熟者は実際製作時の必要に応じて、第一電子発光層と第一誘電質光学多層薄膜の配置位置と面積比率を調整することができ、これらも本発明の範囲に含む。
発光部品の光学特性をさらに向上させるために、本発明はさらに前記実施例の発光部品300a、300b、300c、300dに対して改良を加える。以下に図示を合わせ詳細な説明を行う。この際、説明の便のため、相同機能及び効果の構成部品には相同の符号を用いる。
【００１６】
＜第二実施例＞
図１２は本発明第二実施例の発光部品の断面図である。図１２に示すように、本実施例の発光部品400aと前記実施例の発光部品300a(図５参照)は相似している。その相違点は発光部品400aはさらに第二電子発光層430を含み、該第二電子発光層430は第一誘電質光学多層薄膜340上に配置し、しかも該第二電子発光層430は該第一誘電質光学多層薄膜340に比べ該電子発光(electroluminescent、EL)気体320に近接する点である。具体的には、第一誘電質光学多層薄膜340は第二電子発光層430と第一内側壁316の間に配置する。
さらに、第二電子発光層430は第一電子発光層330と相同の材質を用い、さらに発光部品400aの発光輝度を向上させることができる。本実施例中において、該第二電子発光層430の厚みは該第一電子発光層330の厚みに比べ薄く、こうして可視光線324が該第二電子発光層430を通過する時のエネルギー損失を回避することができる。しかし、本発明はまた第二電子発光層430の厚みを限定しない。しかも該第一電子発光層330と該第二電子発光層430の厚みは実際の設計の必要に応じて決定することができる。
本実施例中で第二電子発光層430を増設する概念は発光部品300a(図５参照)に限定するものではなく、同様に発光部品300b、300c、300d(図６、図７、図８参照)に適用することができる点は注意に値する。
以下に発光部品300bの改良配置について図示を合わせ説明する。該項技術の習熟者は説明を参照し、発光部品300c、300dを容易に発展させることができる。
【００１７】
図１３〜図１４は本発明第二実施例の別の２種の発光部品の断面図である。図１３〜図１４に示すように、本実施例の発光部品400b、400cと前記実施例の発光部品300b(図６参照)は相似している。その相違点は発光部品400b、400cはさらに第二電子発光層430を含む点である。
図１３中において、第二電子発光層430は該第二内側壁316上に配置し、該第二電子発光層430は該第一誘電質光学多層薄膜340に比べ該電子発光(electroluminescent、EL)気体320に近接する点である。該発光部品400bの第一電子発光層330と該第二電子発光層430の厚みは相同で、最適な発光品質を備える点である。
図１４中では、該第二電子発光層430は該第一誘電質光学多層薄膜340上に配置する。具体的には、該第二電子発光層430は該第一誘電質光学多層薄膜340と該第二外側壁318の間に配置する。
特に発光部品400cの製作過程において、先に該第一誘電質光学多層薄膜340を独立透明ガラス片310’上にコーティングし、該第二電子発光層430を第二外側壁318上に形成後、さらに該第一誘電質光学多層薄膜340を該第二電子発光層430上に密着させる。該項技術の習熟者は容易に類推することができるため、ここではこれ以上の説明は行わない。
発光部品の光学特性をさらに向上させるため、本発明はさらに前記すべての実施例の発光部品に対して改良を加える。以下に図示を合わせ詳細な説明を行う。
【００１８】
＜第三実施例＞
図１５は本発明第三実施例の発光部品の断面図である。図１５に示すように、本実施例の発光部品500aと前記実施例の発光部品300a(図５参照)は相似している。その相違点は発光部品500aはさらに第二誘電質光学多層薄膜540を含み、該第二誘電質光学多層薄膜540は該第一外側壁314上に配置し、しかも該第一電子発光層330は該第二誘電質光学多層薄膜540に比べ該電子発光(electroluminescent、EL)気体320に近接する点である。
さらに、該第二誘電質光学多層薄膜540は該第一誘電質光学多層薄膜340と相同の材質とすることができる。
紫外光線322が該第一電子発光層330を通過すると、該第二誘電質光学多層薄膜540により反射され第一電子発光層330に戻り、或いはさらに第一誘電質光学多層薄膜340により第一電子発光層330へと反射され、第一電子発光層330を刺激し可視光線324を放射する。
こうして、本発明はさらに紫外光線322を十分に利用し、第一電子発光層330を刺激し可視光線324を放射する。よって発光部品500aの発光効率とエネルギー利用率をさらに向上させることができる。
本実施例中で第二誘電質光学多層薄膜540を増設する概念は、発光部品300a(図５参照)に限定するものではない点は注意に値する。以下に、発光部品300a、300c(図５、図７参照)に対して改良を加え、図示を合わせ説明する。
【００１９】
図１６〜図１７は本発明第三実施例の別の２種の発光部品の断面図である。図１６〜図１７に示すように、本実施例の発光部品500bと前記実施例の発光部品300a(図５参照)は相似しており、発光部品500cと前記実施例の発光部品300c(図７参照)は相似している。その相違点は発光部品500b、500cはさらに第二誘電質光学多層薄膜540を含み、該第二誘電質光学多層薄膜540は第一電子発光層330上に配置し、該第一電子発光層330は該第二誘電質光学多層薄膜540に比べ該電子発光(electroluminescent、EL)気体320に近接する点である。
具体的には、図１６中において、該第二誘電質光学多層薄膜540は該第一電子発光層330と該第一内側壁312の間に配置する。
図１７中において、該第一電子発光層330は該第二誘電質光学膜層540と該第一外側壁314の間に配置する。
前記のように、発光部品500cの製作過程では、先ず第二誘電質光学多層薄膜540を独立透明ガラス片310’上にコーティングし、第一電子発光層330を第一外側壁314上に形成後、第二誘電質光学多層薄膜540を第一電子発光層330上に密着させる。
前記では発光部品500a、500b、500cを例とし、第三実施例において第二誘電質光学多層薄膜540を増設する概念について説明した。該項技術の習熟者は前記説明を参照し、本実施例の概念を第一或いは第二実施例の概念を備えるすべての発光部品に容易に延伸させることができるため、ここでは詳述しない。
発光部品の光学特性をさらに向上させるために、本発明はさらに前記すべての実施例の発光部品に対して改良を加える。以下に図示を合わせ詳細な説明を行う。
【００２０】
＜第四実施例＞
図１８は本発明第四実施例の発光部品の断面図である。図１８に示すように、本実施例の発光部品600aと前記実施例の発光部品300a(図５参照)は相似している。その相違点は発光部品600aはさらに第一反射層650を含み、該第一反射層650は第一電子発光層330上に配置し、しかも該第一電子発光層330は該第一反射層650に比べ該電子発光(electroluminescent、EL)気体320に近接する点である。具体的には、該第一反射層650は該第一電子発光層330と該第一内側壁312の間に配置する。
さらに、該第一電子発光層330が放出する可視光線324の一部は下方へと発散し、該第一反射層650は可視光線324及び紫外光線(図示なし)を上方へと反射し、これにより可視光線324は第一誘電質光学多層薄膜340を通過し外界へと照射される。こうして、本発明は可視光線324をさらに十分に利用し外界へと照射するため、発光部品600aの発光効率はさらに向上する。
本実施例中において、該第一反射層650の材質はアルミニウムなどで、該第一反射層650は可視光線と紫外光線を同時に反射することができる。しかし、本発明は第一反射層650の材質種類を限定せず、しかも該第一反射層65は可視光線或いは紫外光線だけを単独で反射することもできる。
本実施例中で第一反射層650を増設する概念は発光部品300a(図５参照)に限定しない点は注意に値する。以下に発光部品300a、300c(図５、図７参照)に対する改良について図示を合わせ説明する。
【００２１】
図１９〜図２０は本発明第四実施例の別の２種の発光部品の断面図である。図１９〜図２０に示すように、本実施例の発光部品600bと前記実施例の発光部品300a(図５参照)は相似しており、発光部品600cと前記実施例の発光部品300c(図７参照)は相似している。その相違点は発光部品600b、600cはさらに第一反射層650を含む点である。
図１９中では、該第一反射層650は該第一外側壁314上に配置し、該第一電子発光層330は該第一反射層650に比べ該電子発光(electroluminescent、EL)気体320に近接する。
図２０中では、該第一反射層650は該第一電子発光層330上に配置する。具体的には、第一電子発光層330は該第一反射層650と該第一外側壁314の間に配置する。
前記のように、発光部品600cの製作過程では、先ず該第一反射層650を独立透明ガラス片310’上にコーティングし、該第一電子発光層330を第一外側壁314上に形成後、さらに該第一反射層650該第一電子発光層330上に密着させる。
前記では発光部品600a、600b、600cを例とし、第四実施例の第一反射層650を増設する概念について説明したが、該項技術の習熟者は前記説明を参照し本実施例の概念を容易に第一〜第三実施概念を備えるすべての発光部品に延伸することができる。以下でさらに例を挙げ、第三実施例の第二誘電質光学多層薄膜540及び第四実施例の第一反射層650の結合について説明する。その他についてはこれ以上説明を行わない。
【００２２】
図２１は本発明第四実施例のさらに別種の発光部品の断面図である。図２１に示すように、本実施例の発光部品600dと前記実施例の発光部品500a(図１５参照)は相似している。その相違点は発光部品600dはさらに第一反射層650を含み、該第一反射層650は第二誘電質光学多層薄膜540上に配置し、しかも該第二誘電質光学多層薄膜540は該第一反射層650に比べ該電子発光(electroluminescent、EL)気体320に近接する点である。具体的には、該第二誘電質光学多層薄膜540は該第一反射層650と該第一外側壁314の間に配置する。
発光部品600dが同時に第二誘電質光学多層薄膜540と第一反射層650を含む時、本発明は第一電子発光層330、第二誘電質光学多層薄膜540、第一反射層650の第一内側壁312或いは第一外側壁314に対する位置を限定しない点を、ここで強調しておく。
言い換えれば、本発明は第一電子発光層330が該第二誘電質光学多層薄膜540に比べ該電子発光(electroluminescent、EL)気体320に近接し、しかも第二誘電質光学多層薄膜540は該第一反射層650に比べ該電子発光(electroluminescent、EL)気体320に近接することだけを要求する。該項技術の習熟者はその配置方式を容易に理解することができるため、ここでは詳述しない。
前記の多数の実施例中において、本発明はさらに透明封鎖外カバーを配置し、透明封鎖ケースを包囲することができる。以下でさらに図示を合わせ詳細な説明を行う。
【００２３】
＜第五実施例＞
図２２は本発明第五実施例の発光部品の断面図である。図２２に示すように、本実施例の発光部品700aと前記実施例の発光部品300a(図５参照)は相似している。その相違点は発光部品700aはさらに透明封鎖外カバー760を含み、該透明封鎖ケース310は該透明封鎖外カバー760内に配置することである。該透明封鎖外カバー760は該透明封鎖ケース310が外力の衝撃を受けないよう保護することができ、これにより衝突による発光部品700aの損壊状況発生を減じることができる。
別に、該透明封鎖ケース310は紫外光線を通過させることができるガラス(石英ガラス等)で、その熱膨脹係数は非常に小さいが、一方で、一般のガラスで金属を封じる膨脹係数は比較的大きい。もし膨脹係数の差異により後に漏気の現象が生じ、一般石英管の寿命を短くしてしまったら、普通の高膨脹係数のガラスを透明封鎖外カバー760とし、金属を封鎖し封入し、良好な品質寿命を保持することができる。
前記は発光部品700aを例とし、第五実施例が透明封鎖外カバー760を増設する概念について説明したが、該項技術の習熟者は前記説明を参照し本実施例の概念を容易に第一〜第四実施例の概念を備えるすべての発光部品に延伸することができるため、ここでは詳述しない。
【００２４】
さらに図２２に示すように、透明封鎖外カバー760は相対する第三内側壁762と第三外側壁764を備える。該第三内側壁762は第一内側壁312の同側に位置する。この他、発光部品700aはさらに第二反射層750を含むことができ、該第二反射層750は第三内側壁762上に配置する。しかし、該第二反射層750はまた第三外側壁764上に配置することもでき、設計上の必要に応じて決定する。
該透明封鎖外カバー760に対して、本発明はまた第三実施例の第二誘電質光学多層薄膜の概念をさらに透明封鎖外カバー760上に配置する。該項技術の習熟者は容易に類推することができるため、ここでは詳述しない。
図２３は図２２の発光部品の異なる角度の断面図である。図２３と図２２に示すように、電子発光(electroluminescent、EL)気体320は透明封鎖ケース310内に配置し、電極頭50と導線52により高圧を加え刺激後紫外光線を放出する。本実施例中において、該透明封鎖ケース310は孔隙319を備えることができ、該発光部品700aはさらに予備電子発光(electroluminescent、EL)気体320aを含むことができる。該予備電子発光(electroluminescent、EL)気体320aは該透明封鎖ケース310と該透明封鎖外カバー760の間に配置する。
さらに、該透明封鎖ケース310内に位置する電子発光(electroluminescent、EL)気体320が徐々に消耗する時、該予備電子発光(electroluminescent、EL)気体320aは該孔隙319より該透明封鎖ケース310内部に進入し、こうして電子発光(electroluminescent、EL)気体320を補充することができる。
本実施例中において、発光部品700aは透明封鎖外カバー760を含むことができる。しかし、本発明はまた該透明封鎖ケース310中においてさらに透明封鎖内殼を設置することもできる。以下でさらに実施例を挙げ、図示を合わせ説明する。
【００２５】
＜第六実施例＞
図２４は本発明第六実施例の発光部品の断面図である。図２４に示すように、本実施例の発光部品800aと前記実施例の発光部品300a(図５参照)は相似している。その相違点は発光部品800aにさらに透明封鎖内殼870を含む点である。該透明封鎖内殼870は透明封鎖ケース310内に配置し、しかも電子発光(electroluminescent、EL)気体320は透明封鎖ケース310と透明封鎖内殼870の間に配置する。
前記は発光部品800aを例とし、第六実施例が透明封鎖内殼870を増設する概念について説明したが、該項技術の習熟者は前記説明を参照し本実施例の概念を容易に第一〜第五実施例の概念を備えるすべての発光部品に延伸することができるため、ここでは詳述しない。
さらに図２４に示すように、発光部品800aはさらに第三誘電質光学多層薄膜840を含むことができる。該第三誘電質光学多層薄膜840は透明封鎖内殼870上に配置する。本実施例中において、該第三誘電質光学多層薄膜840は透明封鎖内殼870の外側壁上に配置するが、該第三誘電質光学多層薄膜840はまた該透明封鎖内殼870の内側壁上に配置することができ、設計上の必要に応じて決定する。
本実施例の発光部品800aの電子発光(electroluminescent、EL)気体320は透明封鎖ケース310と透明封鎖内殼870の間において刺激され発光する。よって該透明封鎖内殼870に対しては、本発明は第二実施例の第二電子発光層の概念をさらに透明封鎖内殼870上に配置することができる。この他、本発明はさらに予備電子発光(electroluminescent、EL)気体(図示なし)を透明封鎖内殼870内に配置し、消耗した電子発光(electroluminescent、EL)気体320の補充とすることができる。該項技術の習熟者は容易に類推することができるため、ここでは詳述しない。
前記実施例中では、透明封鎖ケース、透明封鎖外カバー、透明封鎖内殼の形状はすべて円管状であるが、本発明は透明封鎖ケース、透明封鎖外カバー、透明封鎖内殼の形状を限定するものではない。方形、長方形、矩形、半円形及び三角形等の各種幾何形状はすべて本発明の範疇に含むものとする。以下でさらに別の実施例を挙げ、図示を合わせて説明する。
【００２６】
＜第七実施例＞
図２５〜図２７は本発明第七実施例の三種の発光部品の断面図である。図２５〜図２７に示すように、発光部品900a〜900cと前記実施例の発光部品300a(図２４参照)は相似している。その相違点は発光部品900a〜900cの透明封鎖ケース310a〜310cの形状と発光部品300aの透明封鎖ケース310の形状が異なる点である。具体的には、該透明封鎖ケース310aは半円管状で、該透明封鎖ケース310bは方管状で、しかも該透明封鎖ケース310cはさらに封合凸出部310ccを備える。
図２６中では、第一電子発光層330と第一誘電質光学多層薄膜340の配置面積は異なり、本発明では第一電子発光層330と第一誘電質光学多層薄膜340の面積に対して一切の制限を加えない。この他、図２７中では、該封合凸出部310ccは上下二枚の半円形のガラス管に蛍光/燐光粉をコーティング後、再度両辺を融合させ形成する。
当然、この上下２枚の半円形のガラス管は粘合の方式を利用し結合することもでき、本発明はその結合方式を限定するものではない。
図２８〜図３０は本発明第七実施例の別の３種の発光部品の断面図である。図２８に示すように、発光部品900dと前記実施例の発光部品500b(図１６参照)は相似している。その相違点は発光部品900dの透明封鎖ケース310dの形状と発光部品500bの透明封鎖ケース310の形状が異なる点である。すなわち、該透明封鎖ケース310dは半円形のガラス管及びひも状ガラス片により融合し形成する。
【００２７】
図２９に示すように、発光部品900eと発光部品900dは相似している。その相違点は発光部品900eの透明封鎖ケース310eは第一空間S1と第二空間S2を備える点である。該第一内側壁312と該第一外側壁314は該第一空間S1と該第二空間S2を区画し、しかも電子発光(electroluminescent、EL)気体320は第一空間S1内に位置する。この他、第二空間S2には真空、水銀を充填、或いはイナートガスを充填することができる。
第五実施例の発光部品700a(図２３参照)に類似し、透明封鎖ケース310eもまた孔隙319を備えることができ、第一空間S1と第二空間S2に連通する。該発光部品900eはさらに第二空間S2中に予備電子発光(electroluminescent、EL)気体320aを充填し電子発光(electroluminescent、EL)気体320を補充する。
図３０に示すように、発光部品900fと前記実施例の発光部品500b(図１６参照)は相似している。その相違点は発光部品900fの透明封鎖ケース310fの形状は矩形である点である。この他、発光部品900fは少なくともひも状電極50aを備え、該ひも状電極50aが平行に配列し、電子発光(electroluminescent、EL)気体320の紫外光線を刺激する効率を増進することができる。
【００２８】
図３１〜図３３は本発明第七実施例のさらに２種の発光部品の立体透視断面図である。図３１に示すように、発光部品900gの透明封鎖ケース310gの形状は矩形で、発光部品900gはさらに少なくとも透明分離区画板980gを含む。これら透明分離区画板980gにより透明封鎖ケース310g内部空間を相互に連通する多数の区域に区画する。こうして放電の方向を効果的に導引し、電子発光(electroluminescent、EL)気体320が紫外光線を刺激する効率を拡大することができる。
該透明分離区画板980gの材質は一般ガラス、或いは石英ガラス、或いは紫外光線を通過させることができる材質により構成する。この他、本発明はさらに該透明分離区画板980g上に電子発光層を塗布し、発光効率をさらに増加させることができる。
図３２に示すように、発光部品900hと発光部品900gは相似している。その相違点は透明封鎖ケース310h中の透明分離区画板980hの形状が十字状で、該発光部品900gが導引する放電の方向が異なる点である。この他、図３３に示すように、発光部品900iの透明封鎖ケース310iの形状は蛇管状で、該透明封鎖ケース310iの形状を直接利用し放電方向を導引することができる。
図３４は本発明第七実施例のまた別種の発光部品の断面図である。図３４に示すように、発光部品900jと前記実施例の発光部品500b(図１６参照)は相似している。その相違点は発光部品900jの透明封鎖ケース310jの形状と発光部品500bの透明封鎖ケース310の形状は異なる点である。すなわち、該透明封鎖ケース310jは二個の半径が異なる半円形のガラス管を融合し形成する。
上記発光部品900a〜900cは透明封鎖ケース310a〜310cが異なる形状を備える例で、該項技術の習熟者は前記説明を参照し透明封鎖ケースの形状に対して変化を加えることができるが、これも本発明の範囲に含む。この他、該項技術の習熟者はまた前記形状を透明封鎖外カバーと透明封鎖内殼に延伸することができるが、ここでは詳述しない。
別に、前記実施例の発光部品はすべて特定方向に対して可視光線を発するが、本発明はまた可視光線が外界へと照射される際に任意の方向へと発射されるよう限定しない。以下でさらに別の実施例を挙げ図示を合わせて説明する。
【００２９】
＜第八実施例＞
図３５は本発明第八実施例の発光部品の断面図である。図３５に示すように、本実施例の発光部品1000aは透明封鎖ケース310、電子発光(electroluminescent、EL)気体320、第一電子発光層330、第一誘電質光学多層薄膜340及び透明封鎖外カバー760を含む。
該透明封鎖ケース310は該透明封鎖外カバー760内に配置し、該電子発光(electroluminescent、EL)気体320は該透明封鎖ケース310と該透明封鎖外カバー760の間に配置する。この他、該第一電子発光層330は該透明封鎖ケース310上に配置し、該第一誘電質光学多層薄膜340は該透明封鎖外カバー760上に配置する。
前記に類似し、該電子発光(electroluminescent、EL)気体320は紫外光線322を生じ該第一電子発光層330上に照射することができる。該第一電子発光層330は該紫外光線322を吸収し可視光線324を提供することができ、しかも該可視光線324はあらゆる方向から該第一誘電質光学多層薄膜340を通過し外界へと照射される。
本実施例中において、第一電子発光層330は該透明封鎖ケース310の外側壁上に配置し、該第一誘電質光学多層薄膜340は該透明封鎖外カバー760の内側壁上に配置する。しかし、該第一電子発光層330は該透明封鎖ケース310の内側壁上に配置し、該第一誘電質光学多層薄膜340は該透明封鎖外カバー760の外側壁上に配置する。これらは設計上の必要に応じて決定する。
注意を要する点は、該項技術の習熟者は前記説明を参照し前記のすべての実施例の概念、特に、第二、三実施例の透明封鎖ケース310上に第二誘電質光学多層薄膜と第一反射層を増設する概念から本実施例を容易に発展させることができる点である。以下に図示を対応させ、簡単に説明する。
【００３０】
図３６は本発明第八実施例の別種の発光部品の断面図である。図３５に示すように、本実施例の発光部品1000bと発光部品1000aは相似している。その相違点は発光部品1000bはさらに第二誘電質光学多層薄膜540と第一反射層650を含み、該第二誘電質光学多層薄膜540と該第一反射層650は該透明封鎖ケース310上に配置する点である。
具体的には、第二誘電質光学多層薄膜540は該第一電子発光層330と該透明封鎖ケース310の間に配置し、該第一反射層650は該透明封鎖ケース310の内側壁上に配置する。
本発明は該第一電子発光層330、該第二誘電質光学多層薄膜540、該第一反射層650の該透明封鎖ケース310に対する位置を限定しないことを強調しておく。
言い換えれば、本発明は第一電子発光層330が該第二誘電質光学多層薄膜540に比べ該電子発光(electroluminescent、EL)気体320に近接し、該第二誘電質光学多層薄膜540が該第一反射層650に比べ該電子発光(electroluminescent、EL)気体320に近接するよう制限するだけである。
さらに電子発光(electroluminescent、EL)気体320の刺激効率を向上させるため、本実施例はさらに放電管を増設し、電子発光(electroluminescent、EL)気体320を放電管中に局限し紫外光線を発射させることができる。以下でさらに図示を合わせ説明する。
図３７は本発明第八実施例のまた別種の発光部品の断面図で、図３８は図３７の発光部品の局部立体図である。図３７、図３８に示すように、本実施例の発光部品1000cと発光部品1000a(図３５参照)は相似している。その相違点は発光部品1000cはさらに放電管1090を含み、該放電管1090は該透明封鎖ケース310と該透明封鎖外カバー760の間に配置し、しかも電子発光(electroluminescent、EL)気体320は放電管1090内に配置する点である。
本実施例中において、放電管1090の数量は三個で、透明封鎖ケース310周囲において120度に対称分布する。しかし、本発明は放電管の数量を限定せず、該放電管1090の設置方式も限定しない。該項技術の習熟者は前記説明を参照し放電管1090の概念を前記すべての実施例概念を備えるすべての発光部品に延伸することができるため、ここでは詳述しない。
本発明は放電管1090の形状を限定しない点に注意を要する。以下でさらに図示を合わせ別の実施例を挙げる。
図３９は、本発明第八実施例のさらに別種の発光部品の断面図で、図４０は図３９の種発光部品の局部立体図である。図３９、図４０に示すように、本実施例の発光部品1000dと発光部品1000c(図３７、図３８参照)は相似している。その相違点は発光部品1000dの放電管1090’の形状と発光部品1000cの放電管1090の形状が異なる点である。具体的には、放電管1090’は螺旋状を呈し、該透明封鎖ケース310周囲を取り巻く。
【００３１】
さらに図４０示すように、前記では特別に説明してはいないが、本発明はまた透明封鎖ケース310の頂面或いは底面、及び透明封鎖ケース310の頂面或いは底面に任意に電子発光層、誘電質光学多層薄膜或いは反射層を配置することができるが、ここでは詳述しない。
この他、前記中の第一電子発光層330は透明封鎖ケース310の全周壁上に塗布し、該第一誘電質光学多層薄膜340は透明封鎖外カバー760全周壁上に塗布する。しかし、本発明では第一電子発光層330或いは第一誘電質光学多層薄膜340の局部に塗布することもできる。以下でさらに図示を合わせ説明する。
図４１〜図４２は本発明第八実施例のさらに２種の発光部品の断面図である。図４１に示すように、発光部品1000eと発光部品1000aは相似している(図３５参照)。その相違点は第一電子発光層330は該透明封鎖ケース310上局部に配置し、該第一誘電質光学多層薄膜340は該透明封鎖外カバー760上局部に配置する点である。
別に、該透明封鎖ケース310は該透明封鎖外カバー760の中心から離して配置し、これにより発光部品1000eは特定方向に対して最適な発光効果を備えることができる。
図４２に示すように、発光部品1000fと発光部品1000eは相似している(図３５参照)。その相違点は発光部品1000fはさらに第一反射層650を含み、該第一反射層650は該透明封鎖ケース310上に配置し、該透明封鎖ケース310と第一電子発光層330の間に位置することである。
該項技術の習熟者は前記説明を参照し、前記のすべての実施例の概念を本実施例へと容易に発展させることができる点に注意を要するが、ここでは詳述しない。
この他、本発明はさらに透明封鎖ケース内部に透明分離区画板を設置する。以下でさらに別の実施例を挙げ図示を合わせて説明する。
【００３２】
＜第九実施例＞
図４３は、本発明第九実施例の発光部品の断面図である。図４３に示すように、本実施例の発光部品1100aは透明封鎖ケース310、電子発光(electroluminescent、EL)気体320、第一電子発光層330、第一誘電質光学多層薄膜340及び透明分離区画板1180を含む。コーティングの便のため、先に透明分離区画板1180上にコーティングする。該透明分離区画板1180は該透明封鎖ケース310内に配置し、しかも該透明分離区画板1180は相対する第一側面1182と第二側面1184を備える。
さらに、該透明封鎖ケース310は相対する第一内側壁312と第一外側壁314及び相対する第二内側壁316と第二外側壁318を備え、該第一内側壁312と該第一側面1182は第一空間S1を取り囲み、該第二内側壁316と該第二側面1184は第二空間S2を取り囲む。
この他、電子発光(electroluminescent、EL)気体320は第一空間S1内に配置し、該第一電子発光層330は該第一内側壁312上に配置し、しかも該第一誘電質光学多層薄膜340は第一側面1182上に配置する。
前記は第一電子発光層330を該第一内側壁312上に配置し、しかも第一誘電質光学多層薄膜340は第一側面1182上に配置すると説明を行ったが、該第一電子発光層330は該第一外側壁314上に配置し、該第一誘電質光学多層薄膜340も該第二側面1184上に配置可能な点に注意を要する。該項技術の習熟者は第一実施例の説明を参照し容易に成し遂げることができる。
この他、前記は発光部品1100aを例とし、第九実施例が透明分離区画板1180を増設する概念について説明したが、該項技術の習熟者は前記説明を参照し前記のすべての実施例の概念から本実施例を容易に発展させることができる。
例えば、第二実施例中において、第二電子発光層430(図１２〜図１４)が該第一誘電質光学多層薄膜340或いは該第二内側壁316上に配置する概念は、本実施例にも応用可能で、これにより第二電子発光層(図４３中図示なし)は第一誘電質光学多層薄膜340或いは第一側面1182上に配置され、該第二電子発光層は該第一誘電質光学多層薄膜340に比べ該電子発光(electroluminescent、EL)気体320に近接する。
言い換えれば、設置の位置において、前記実施例の第二内側壁316と第二外側壁318(図１２〜図１４)の地位は本実施例の第一側面1182と第二側面1184に対応し同等である。さらに例えば、第三実施例中に配置する第二誘電質光学多層薄膜もここで用いることができ、すなわち第二誘電質光学多層薄膜は該第一電子発光層330と該第一内側壁312の間に配置することができる。他の実施例に関しては、該項技術の習熟者が容易に類推することができるため、ここでは詳述しない。
【００３３】
＜第十実施例＞
図４４は本発明第十実施例の発光部品の断面図である。図４４に示すように、本実施例の発光部品1200aと第九実施例の発光部品1100a(図４３参照)は相似している。その相違点は電子発光(electroluminescent、EL)気体320は第二空間S2内に配置し、該第一電子発光層330は第二側面1184上に配置し、しかも第一誘電質光学多層薄膜340は第二内側壁316上に配置する点である。
当然、本実施例中において、第一電子発光層330は第一側面1182上に配置することもでき、第一誘電質光学多層薄膜340は第二外側壁318上に配置することができる。該項技術の習熟者は第一実施例の説明を参照し容易に達成することができ、前記説明を参照し、前記のすべての実施例の概念から本実施例を容易に発展させることができる。
例えば、第三実施例中において、第二誘電質光学多層薄膜540(図１５〜図１７)を第一電子発光層330或いは第一外側壁314上に配置する概念は本実施例においても用いることができ、すなわち第二誘電質光学多層薄膜(図11B中図示なし)を第一電子発光層330或いは第二側面1182上に配置することができる。該第一電子発光層330は該第二誘電質光学多層薄膜に比べ該電子発光(electroluminescent、EL)気体320に近接する。
言い換えれば、設置の位置において、前記実施例の第一内側壁312と第一外側壁314(図１５〜図１７)の地位は本実施例の第二側面1184と第一側面1182に対応し同等である。他の実施例に関しては、該項技術の習熟者は容易に類推することができるため、ここでは詳述しない。
この他、前記二つの実施例中において、透明分離区画板の形状は片状であるが、本発明は透明分離区画板の形状を限定するものではない。以下でさらに別の実施例を挙げ、図示を合わせて説明する。
【００３４】
＜第十一実施例＞
図４５〜図４７は本発明第十一実施例の三種の発光部品の断面図である。図４５〜図４７に示すように、本実施例の発光部品1300a、1300b、1300cはそれぞれ前記実施例の発光部品1100a、1200a(図４３と図４４参照)と相似している。その相違点は透明分離区画板1180a、1180b、1180cの形状と透明分離区画板1180の形状が異なる点である。具体的には、該透明分離区画板1180aは鞍状で、該而透明分離区画板1180bはV字形状で、しかも透明分離区画板1180cは半円形状である。
図４８は本発明第十一実施例の別種の発光部品の断面指示図で、図４９は図４８の発光部品の局部立体図である。図４８と図４９に示すように、本実施例の発光部品1300dの透明分離区画板1180dは十字状で、該透明分離区画板1180dは該透明封鎖ケース310内の空間区分を四個の相互に連通する空間に分離区画する。二個の下部電極1190により通電し、こうして導電方向は図４８に示す方向となり、これにより電子発光(electroluminescent、EL)気体320を刺激する。
該項技術の習熟者は前記説明を参照し透明分離区画板の形状に対していささかの変化を加えることができるが、それらもやはり本発明の範囲に含む。
【００３５】
＜第十二実施例＞
図５０は本発明第十二実施例の発光部品の断面図である。図５０に示すように、本実施例の発光部品1400aは透明封鎖ケース310、電子発光(electroluminescent、EL)気体320、第一電子発光層330、第一誘電質光学多層薄膜340及び透明封鎖外カバー1460を含む。
該電子発光(electroluminescent、EL)気体320は該透明封鎖ケース310内に配置し、該透明封鎖ケース310は該透明封鎖外カバー1460内に配置する。
該透明封鎖外カバー1460は第三内側壁1462と第四内側壁1466を備え、該第一誘電質光学多層薄膜340は該第四内側壁1466上に配置する。該第一電子発光層330は該第三内側壁1462上に配置し、しかも該透明封鎖ケース310の設置位置に対応し不均等な分布を呈し、こうして該透明封鎖外カバー1460を通過する可視光線は均等な強度を達成することができる。
本実施例中において、該第一電子発光層330は点状分布、ブロック状分布及びひも状分布の内の少なくとも一種の形態を呈し分布することができる。この他、図中では透明封鎖ケース310の数量は二個であるが、本発明は透明封鎖ケース310の数量を限定するものではなく、該透明封鎖ケース310の数量は一個或いは二個以上である。
該項技術の習熟者は前記説明を参照し、前記のすべての実施例の概念を本実施例へと容易に発展させることができる点に注意を要する。以下に第三実施例と第四実施例の概念について例を用い説明する。
図５１〜図５２は本発明第十二実施例の別の２種の発光部品の断面図である。図５１の発光部品は第三実施例概念を結合した応用で、図５２の発光部品は第三及び第四実施例概念を同時に結合した應用である。
図５１〜図５２に示すように、図５１中において、発光部品1400bと発光部品1400a(図５０参照)は相似している。その相違点は発光部品1400bはさらに第二誘電質光学多層薄膜540を含み、第二誘電質光学多層薄膜540は第一電子発光層330上に配置し、しかも第一電子発光層330は該第二誘電質光学多層薄膜540に比べ透明封鎖ケース310に近接する点である。具体的には、第一電子発光層330は第二誘電質光学多層薄膜540と第三内側壁1462の間に配置する。
図５２中では、該発光部品1400cと該発光部品1400b(図５１参照)は相似している。その相違点は発光部品1400cはさらに第一反射層650を含み、該第一反射層650は第二誘電質光学多層薄膜540上に配置し、しかも該第二誘電質光学多層薄膜540は該第一反射層650に比べ透明封鎖ケース310に近接する点である。具体的には、該第二誘電質光学多層薄膜540は該第一反射層650と該第一電子発光層330の間に配置する。該項技術の習熟者はその配置方式を容易に理解することができるため、ここでは詳述しない。
該透明封鎖ケース310はさらに孔隙(図示なし)を備えることができ、発光部品1400a〜1400cはさらに予備電子発光(electroluminescent、EL)気体(図示なし)を含み、電子発光(electroluminescent、EL)気体320を補充することができる。該予備電子発光(electroluminescent、EL)気体は該透明封鎖ケース310と該透明封鎖外カバー1460の間に配置する。
【００３６】
図５３は本発明第十二実施例のまた別種の発光部品の断面図である。図５３に示すように、発光部品1400dと発光部品1400a(図５０参照)は相似している。その相違点は第一電子発光層330はすべての第三内側壁1462上に配置する点である。
この他、前記説明中では透明封鎖ケース310の形状は管状で、透明封鎖外カバー1460の形状は箱型であるが、本発明は透明封鎖ケース310と透明封鎖外カバー1460の形状を限定するものではない。以下でさらに図示を合わせ別の実施例を挙げる。
図５４〜図５６は本発明第十二実施例のさらに三種の発光部品の断面図である。図５４に示すように、発光部品1400eと発光部品1400b(図５１参照)は相似している。その相違点は透明封鎖ケース310が螺旋状で、透明封鎖外カバー1460eは半円弧面状である点である。
図５６に示すように、発光部品1400fと発光部品1400d(図５３参照)は相似している。その相違点は透明封鎖外カバー1460は双円弧面状により構成する点である。この他、発光部品1400fはさらに第二誘電質光学多層薄膜540を含む。該第二誘電質光学多層薄膜540は第一電子発光層330上に配置する。
図５６に示すように、発光部品1400gと発光部品1400b(図５１参照)は相似している。その相違点は発光部品1400gは単一の透明封鎖ケース310だけを含み、透明封鎖ケース310は透明封鎖外カバー1460の片側に配置する点である。この他、該透明封鎖ケース310はまたさらに誘電質光学多層薄膜或いは孔隙(図示なし)を配置することができる。関連記述と長所は前文で詳述済みであるため、ここでは詳述しない。
【００３７】
＜第十三実施例＞
図５７は本発明第十三実施例の発光部品の断面図である。図５７に示すように、本実施例の発光部品1500aは、透明封鎖ケース310、電子発光(electroluminescent、EL)気体320、第一電子発光層330、第一誘電質光学多層薄膜340、第一透明分離区画板1592及び第二透明分離区画板1594を含む。
該透明封鎖ケース310は相対する第一内側壁312と第一外側壁314及び相対する第二内側壁316と第二外側壁318を備える。
該電子発光(electroluminescent、EL)気体320は該透明封鎖ケース310内に配置する。
さらに、該第一透明分離区画板1592は該第一内側壁312上に配置し、該第一電子発光層330は該第一透明分離区画板1592上に配置する。しかも該第一透明分離区画板1592は該第一内側壁312と該第一電子発光層330の間に位置する。
この他、該第二透明分離区画板1594は該第二内側壁316上に配置し、該第一誘電質光学多層薄膜340は該第二透明分離区画板1594上に配置する。しかも該第二透明分離区画板1594は該第二内側壁316と該第一誘電質光学多層薄膜340の間に位置する。
また、該各部品光透過面にはすべて抗反射膜層AR(Anti-Reflection)をコーティングし、光透過率を向上させる。抗反射膜ARは紫外光抗反射膜層UV-AR、可視光抗反射膜層Vis-AR及び紫外光から可視光までの抗反射膜層に分けられ、それぞれ異なる需要の出光面にコーティングされる。
注意を要する点は、該項技術の習熟者は前記説明を参照し、前記のすべての実施例の概念を本実施例へと容易に発展させることができることである。よってここでは重複説明は行わない。
【００３８】
上記のように、本発明の発光部品は少なくとも以下の長所を備える。
1.誘電質光学多層薄膜により紫外光線を反射させ透明封鎖ケースに戻し電子発光層へと照射し、可視光線を放射するため、発光部品の発光効率とエネルギー利用率を大幅に向上させることができる。
2.電子発光層は表層発光であるため、発光部品は最適な輝度を備える。
本発明は最適実施例を上記の通り掲示したが、これにより本発明を限定するものではない。該項技術の習熟者はすべて、本発明の精神と範囲を離脱せずに、いささかの変動と潤飾を加えることができる。よって本発明の保護範囲は特許申請範囲で規定するものを基準とする。
【図面の簡単な説明】
【００３９】
【図１】図１は、公知の発光部品の断面図である。
【図２】図１の発光部品の局部拡大指示図である。
【図３】公知の別種の発光部品の局部拡大指示図である。
【図４】公知のさらに別種の発光部品の断面図である。
【図５】本発明第一実施例の四種の内の一種の発光部品の断面図である。
【図６】本発明第一実施例の四種の内の別の一種の発光部品の断面図である。
【図７】本発明第一実施例の四種の内の別の一種の発光部品の断面図である。
【図８】本発明第一実施例の四種の内の別一種の発光部品の断面図である。
【図９】異なる波長の光源下における第一実施例の第一誘電質光学多層薄膜に対する反射率の実験模擬グラフ図である。
【図１０】異なる波長の光源下における第一実施例の第一誘電質光学多層薄膜に対する反射率の実験模擬グラフ図である。
【図１１】253.7nm波長光源の異なる入射角度における第一実施例の第一誘電質光学多層薄膜に対する反射率の実験模擬グラフ図である。
【図１２】本発明第二実施例の三種の内の一種の発光部品の断面図である
【図１３】本発明第二実施例の三種の内の別の一種の発光部品の断面図である
【図１４】本発明第二実施例の三種の内の別の一種の発光部品の断面図である
【図１５】本発明第三実施例の三種の内の一種の発光部品の断面図である。
【図１６】本発明第三実施例の三種の内の別の一種の発光部品の断面図である。
【図１７】本発明第三実施例の三種の内の別の一種の光部品の断面図である。
【図１８】本発明第四実施例の四種の内の一種の発光部品の断面図である
【図１９】本発明第四実施例の四種の内の別の一種の発光部品の断面図である
【図２０】本発明第四実施例の四種の内の別の一種の発光部品の断面図である
【図２１】本発明第四実施例の四種の内の別の一種の発光部品の断面図である。
【図２２】本発明第五実施例の発光部品の断面図である。
【図２３】図２２の発光部品の異なる視角における断面図である。
【図２４】本発明第六実施例の発光部品の断面図である。
【図２５】本発明第七実施例の十種の内の一種の発光部品の断面図である。
【図２６】本発明第七実施例の十種の内の別の一種の発光部品の断面図である。
【図２７】本発明第七実施例の十種の内の別の一種の発光部品の断面図である。
【図２８】本発明第七実施例の十種の内の別の一種の発光部品の断面図である。
【図２９】本発明第七実施例の十種の内の別の一種の発光部品の断面図である。
【図３０】本発明第七実施例の十種の内の別の一種の発光部品の断面図である。
【図３１】本発明第七実施例の十種の内の別の一種の発光部品の断面図である。
【図３２】本発明第七実施例の十種の内の別の一種の発光部品の断面図である。
【図３３】本発明第七実施例の十種の内の別の一種の発光部品の断面図である。
【図３４】本発明第七実施例の十種の内の別の一種の発光部品の断面図である。
【図３５】本発明第八実施例の六種の内の一種の発光部品の断面図である。
【図３６】本発明第八実施例の六種の内の別の一種の発光部品の断面図である。
【図３７】本発明第八実施例の六種の内の別の一種の発光部品の断面図である。
【図３８】図３７の発光部品の局部立体図である。
【図３９】本発明第八実施例の六種の内の一種の発光部品の断面図である。
【図４０】それぞれ、図３７、図３９の五種の内の一種の発光部品の立体透視図である。
【図４１】本発明第八実施例の六種の内の一種の発光部品の断面図である。
【図４２】本発明第八実施例の六種の内の一種の発光部品の断面図である。
【図４３】本発明第九実施例の発光部品の断面図である。
【図４４】本発明第十実施例の発光部品の断面図である。
【図４５】本発明第十一実施例の四種の内の一種の発光部品の断面図である。
【図４６】本発明第十一実施例の四種の内の別の一種の発光部品の断面図である。
【図４７】本発明第十一実施例の四種の内の一種の発光部品の断面図である。
【図４８】本発明第十一実施例の四種の内の一種の発光部品の断面図である。
【図４９】本発明第十一実施例の四種の内の一種の発光部品の断面図である。
【図５０】本発明第十二実施例の七種の内の一種の発光部品の断面図である。
【図５１】本発明第十二実施例の七種の内の別の一種の発光部品の断面図である。
【図５２】本発明第十二実施例の七種の内の別の一種の発光部品の断面図である。
【図５３】本発明第十二実施例の七種の内の別の一種の発光部品の断面図である。
【図５４】本発明第十二実施例の七種の内の別の一種の発光部品の断面図である。
【図５５】本発明第十二実施例の七種の内の一種の発光部品の断面図である。
【図５６】本発明第十二実施例の七種の内の一種の発光部品の断面図である。
【図５７】本発明第十三実施例の発光部品の断面図である。
【符号の説明】
【００４０】
50  電極頭
50a  ひも状電極
52  導線
100、100a、200  発光部品
110、210  透明封鎖管体
112  内側壁
120、220  水銀ガス
122、122’、222’、222’’  紫外光線
124、124’、124’’、224’、224''  可視光線
130、130’、230  蛍光層
130a、130a’、130a’’、130aa  蛍光顆粒
132  表層蛍光層
134  底層蛍光層
212  下半内側壁
214  上半内側壁
240  反射層
300a〜300d、400a〜400c、500a〜500c、600a〜600d、700a、800a、900a〜900j、1000a〜1000f、1100a、1200a、1300a〜1300d、1400a〜1400g、1500a   発光部品
310、310a、310b、310c、310e〜310j  透明封鎖ケース
310’  独立透明ガラス片
310cc  封合凸出部
312  第一内側壁
314  第一外側壁
316  第二内側壁
318  第二外側壁
319  孔隙
320  電子発光(electroluminescent、EL)気体
320a  予備電子発光(electroluminescent、EL)気体
322、322’、322’’  紫外光線
324、324’、324’’  可視光線
330  第一電子発光層
340  第一誘電質光学多層薄膜
430  第二電子発光層
540  第二誘電質光学多層薄膜
650  第一反射層
750  第二反射層
760、1460、1460e  透明封鎖外カバー
762、1462  第三内側壁
764  第三外側壁
840  第三誘電質光学多層薄膜
870  透明封鎖内殼
980g、980h  透明分離区画板
1090、1090’  放電管 
1180、1180a、1180b、1180c、1180d  透明分離区画板
1182  第一側面
1184  第二側面
1190  下部電極
1466  第四内側壁
1592  第一透明分離区画板
1594  第二透明分離区画板
S1  第一空間
S2  第二空間
【図１】
2008226842.tif 000003
【図２】
2008226842.tif 000004
【図３】
2008226842.tif 000005
【図４】
2008226842.tif 000006
【図５】
2008226842.tif 000007
【図６】
2008226842.tif 000008
【図７】
2008226842.tif 000009
【図８】
2008226842.tif 000010
【図９】
2008226842.tif 000011
【図１０】
2008226842.tif 000012
【図１１】
2008226842.tif 000013
【図１２】
2008226842.tif 000014
【図１３】
2008226842.tif 000015
【図１４】
2008226842.tif 000016
【図１５】
2008226842.tif 000017
【図１６】
2008226842.tif 000018
【図１７】
2008226842.tif 000019
【図１８】
2008226842.tif 000020
【図１９】
2008226842.tif 000021
【図２０】
2008226842.tif 000022
【図２１】
2008226842.tif 000023
【図２２】
2008226842.tif 000024
【図２３】
2008226842.tif 000025
【図２４】
2008226842.tif 000026
【図２５】
2008226842.tif 000027
【図２６】
2008226842.tif 000028
【図２７】
2008226842.tif 000029
【図２８】
2008226842.tif 000030
【図２９】
2008226842.tif 000031
【図３０】
2008226842.tif 000032
【図３１】
2008226842.tif 000033
【図３２】
2008226842.tif 000034
【図３３】
2008226842.tif 000035
【図３４】
2008226842.tif 000036
【図３５】
2008226842.tif 000037
【図３６】
2008226842.tif 000038
【図３７】
2008226842.tif 000039
【図３８】
2008226842.tif 000040
【図３９】
2008226842.tif 000041
【図４０】
2008226842.tif 000042
【図４１】
2008226842.tif 000043
【図４２】
2008226842.tif 000044
【図４３】
2008226842.tif 000045
【図４４】
2008226842.tif 000046
【図４５】
2008226842.tif 000047
【図４６】
2008226842.tif 000048
【図４７】
2008226842.tif 000049
【図４８】
2008226842.tif 000050
【図４９】
2008226842.tif 000051
【図５０】
2008226842.tif 000052
【図５１】
2008226842.tif 000053
【図５２】
2008226842.tif 000054
【図５３】
2008226842.tif 000055
【図５４】
2008226842.tif 000056
【図５５】
2008226842.tif 000057
【図５６】
2008226842.tif 000058
【図５７】
2008226842.tif 000059